(57)【要約】      （修正有）【課題】設置場所の条件等に左右されることなく、消費者に対する高い訴求効果を得られるダミー展示箱を提供する。【解決手段】商品を立体的に模った模擬商品部３１を有するダミー部材３を身箱１に内装し、模擬商品部が露出した状態で展示するダミー展示箱において、身箱の内部に照明器具４１を設け、透光性を有するダミー部材を、模擬商品部が照明器具に被さるように身箱に内装し、照明器具から発せられる光が模擬商品部を内側から照らして外側へ透過するようにし、模擬商品部が明るく光って見えるようにする。ダミー部材は、プラスチック製のシート材から成り、これを半円筒状に湾曲させて、飲料の缶を模った模擬商品部としてもよい。【選択図】図１
0003189400.tif 000002
【実用新案登録請求の範囲】
【請求項１】
商品を立体的に模った模擬商品部(31)を有するダミー部材(3)を身箱(1)に内装し、模擬商品部(31)が露出した状態で展示するダミー展示箱において、前記身箱(1)の内部に照明器具(41)を設け、透光性を有するダミー部材(3)を、模擬商品部(31)が照明器具(41)に被さり、外部から見えるように身箱(1)に内装し、照明器具(41)から発せられる光が模擬商品部(31)を内側から照らして模擬商品部(31)の外側へ透過するようにしたことを特徴とするダミー展示箱。
【請求項２】
前記ダミー部材(3)は、プラスチック製のシート材から成り、これを半円筒状に湾曲させて、飲料の缶を模った模擬商品部(31)を形成するようにしたことを特徴とする請求項１に記載のダミー展示箱。
【考案の詳細な説明】
【技術分野】
【０００１】
この考案は、缶入り飲料等のギフト商品の展示見本として、模擬商品を使用したダミー展示箱に関するものである。
【背景技術】
【０００２】
従来より、ビール等の缶入り飲料をギフト商品として店頭で展示する際、実際に飲料が入った缶を箱詰めして展示しようとすると、非常に重くなって展示作業に支障を来たす恐れがあるほか、展示期間終了後に商品が無駄になるという不都合もあるため、実物に代えて、商品を立体的に模ったダミー部材を身箱に内装し、ダミー部材が見えるようにしたダミー展示箱が展示されることがあり、このようなダミー展示箱として、ダミー部材を紙製としたものが下記特許文献１において提案されている。
【先行技術文献】
【特許文献】
【０００３】
【特許文献１】特開２０１２−１２８３８８号公報
【考案の概要】
【考案が解決しようとする課題】
【０００４】
しかしながら、上記のようなダミー展示箱は、ダミー部材の形状及び印刷で訴求性を得ようとするものであり、照明が暗い場所やフロアの回遊経路から外れる場所等、設置場所の条件によっては、あまり目立たない場合がある。
【０００５】
そこで、この考案は、設置場所の条件等に左右されることなく、消費者に対する高い訴求効果を得られるダミー展示箱を提供することを課題とする。
【課題を解決するための手段】
【０００６】
上記課題を解決するため、この考案は、商品を立体的に模った模擬商品部を有するダミー部材を身箱に内装し、模擬商品部が露出した状態で展示するダミー展示箱において、前記身箱の内部に照明器具を設け、透光性を有するダミー部材を、模擬商品部が照明器具に被さるように身箱に内装し、照明器具から発せられる光が模擬商品部を内側から照らして模擬商品部の外側へ透過するようにしたのである。
【０００７】
また、前記ダミー部材は、プラスチック製のシート材から成り、これを半円筒状に湾曲させて、飲料の缶を模った模擬商品部を形成するようにしたのである。
【考案の効果】
【０００８】
この考案に係るダミー展示箱では、ダミー部材の模擬商品部が照明器具により内側から照らされて、その光が模擬商品部を透過し、外側から模擬商品部が明るく光って見えるので、商品を模った模擬商品部が目立ち、展示場所の条件等に関わらず、高い訴求効果を得ることができる。
【図面の簡単な説明】
【０００９】
【図１】この考案の実施形態に係るダミー展示箱を立て掛けた展示状態を前面側から示す斜視図
【図２】同上の展示状態を後面側から示す斜視図
【図３】同上のダミー展示箱の組立過程を示す斜視図
【図４】同上のダミー展示箱の構成部材のブランクを示す図
【考案を実施するための形態】
【００１０】
以下、この考案の実施形態を添付図面に基づいて説明する。
【００１１】
図１及び図２に示すように、このダミー展示箱は、ギフト商品である缶入りビールの販売促進用として展示するものであり、図３に示すように、身箱１、基底部材２及び４個のダミー部材３を基本的な構成部材としている。身箱１及び基底部材２は、段ボールを材料とし、ダミー部材３は、半透明のプラスチック製シートを材料として、それぞれ図４に示すブランクから形成される。
【００１２】
身箱１のブランクは、展示時に縦長となる長方形の底壁４の周囲各辺のうち、対向する長辺に側壁５を、短辺に側壁６をそれぞれ連設したものとされ、側壁５，６は、それぞれ底壁４側から外面板７、頂板８及び内面板９を順次連設したものとされている。側壁５の外面板７及び内面板９の両側には、それぞれ折込片１０，１１が連設されている。
【００１３】
側壁５の内面板９の先端側には、底当片１２が連設され、底当片１２の基部には、内面板９への切込により突片１２ａが設けられている。側壁６の内面板９の両側端には、係合突起９ａが設けられ、側壁５の内面板９の折込片１１との境界部には、係合切込９ｂが設けられている。両側の側壁５の内面板９及び展示時に上方となる側壁６の内面板９には、中間部に係合穴１３が設けられている。
【００１４】
底壁４の展示時に下方となる部分には、一対のスタンド片１４とその間に挟まれたステー片１５とが切込により設けられ、スタンド片１４の内側縁及びステー片１５の先端縁両側部には、それぞれ係合切込１４ａ，１５ａが設けられている。また、底壁４のスタンド片１４の外側縁に臨む部分には、半円状の指入切欠４ａが設けられ、ステー片１５の先端縁中央部には、半円状の指入切欠１５ｂが設けられている。
【００１５】
基底部材２のブランクは、身箱１の底壁４より少し小さい長方形の基板部２１の周囲各辺のうち、対向する長辺に脚片部２２を連設し、短辺に脚片部２３を連設したものとされている。基板部２１には、展示時の上部及び下部に係止穴２４が５個ずつ横に並べて二組設けられ、係止穴２４は、丸穴から下方へ長穴が延びる形状とされている。基板部２１の両側端の係止穴２４は、脚片部２２に少し切り込まれ、丸穴は半円状とされている。
【００１６】
係止穴２４に臨む部分（図中斜線部）では、後述するダミー部材３のフック部３３を引っ掛けやすくするため、段ボールが厚さ方向に押し潰されている。また、基板部２１の両側辺及び一方の短辺の中央部には、それぞれ脚片部２２，２３をコ字状に切り込んで係合突起２５が設けられている。
【００１７】
ダミー部材３のブランクは、縦長の模擬商品部３１に、ビールの缶を３本縦方向に並べたデザインを透光性のインクで印刷し、模擬商品部３１の両側に折曲片部３２を連設したものとされ、模擬商品部３１の両側には、展示状態での上部及び下部に、先端側が下方へ曲がったフック部３３が折曲片部３２への切込により設けられている。
【００１８】
このダミー展示箱の製造に際しては、図３に示すように、基底部材２の基板部２１の表面に、ダミー部材３にそれぞれ対応して、照明器具４１を取り付ける。照明器具４１は、帯状の基板にＬＥＤ４１ａを多数配設したものであり、照明器具４１には、末端に電源アダプター４２ａを有するコード４２ｂが途中で分岐して接続されている。
【００１９】
ダミー部材３は、模擬商品部３１から折曲片部３２を、熱可塑性を利用した変形に伴い内側へ折り曲げ、フック部３３が突出した状態としておく。そして、模擬商品部３１を半円筒状に湾曲させて、照明器具４１に被せ、フック部３３を係止穴２４に挿入し、ダミー部材３をフック部３３の曲がった方向へスライドさせて、模擬商品部３１の湾曲状態を保持しつつ、ダミー部材３を基底部材２に取り付ける。
【００２０】
身箱１は、平置き状態で底壁４から側壁５の外面板７を上方へ、頂板８を内側へ、内面板９を下方へ順次折り曲げ、底当片１２を内側へ折り曲げて底壁４の上面に沿わせると共に、突片１２ａを突出させて外面板７の内面に当接させ、折込片１０，１１を重なり合うように内側へ折り曲げる。
【００２１】
次に、底壁４から側壁６の外面板７を上方へ、頂板８を内側へ、内面板９を下方へ順次折り曲げ、外面板７と内面板９の間に折込片１０，１１を抱き込み、係合突起９ａを係合切込９ｂに係合させて、側壁５，６を起立状態に保持する。これにより、身箱１が額縁構造に組み立てられる。
【００２２】
一方、基底部材２は、平置き状態で基板部２１から脚片部２２，２３を下方へ折り曲げて、係合突起２５を突出させる。そして、基底部材２を身箱１に嵌め入れ、脚片部２２，２３をそれぞれ側壁５，６の内面板９に内接させて、係合突起２５を係合穴１３に係合させると、基底部材２が身箱１に固定される。このとき、コード４２ｂは、指入切欠１５ｂから身箱１の外側へ引き出す。
【００２３】
このように組み立てたダミー展示箱を店頭に展示する際には、図１及び図２に示すように、身箱１を立てた状態とし、指入切欠４ａに指を入れて一対のスタンド片１４を後方へ折り曲げ、指入切欠１５ｂに指を入れてステー片１５を起こし、係合切込１４ａ，１５ａを噛み合わせて、スタンド片１４により身箱１を若干後傾した起立状態で支持する。
【００２４】
そして、電源アダプター４２ａをコンセントに差し込み、照明器具４１のＬＥＤ４１ａを点灯させると、ダミー部材３の模擬商品部３１がＬＥＤ４１ａにより内側から照らされて、その光が模擬商品部３１を透過し、外側から模擬商品部３１が明るく光って見える。
【００２５】
このため、模擬商品部３１が目立ち、展示場所が暗い場所やフロアの回遊経路から外れる場所等であっても、高い訴求効果を得ることができる。また、光源がＬＥＤであることから、消費電力も抑えられる。
【００２６】
なお、上記実施形態では、ダミー部材３が単一の模擬商品部３１を有するものとし、これを複数並べて身箱１に内装するものを例示したが、ダミー部材３として、複数の模擬商品部３１を一体として成形したものを使用してもよい。
【００２７】
また、ダミー部材３がプラスチック製シートから成るものを例示したが、ダミー部材３は、薄紙を材料とした行灯のようなものや、メッシュ状のもの等、光源から発せられる光の少なくとも一部が外側へ透過するものであればよい。
【００２８】
また、照明器具４１の光源として、ＬＥＤ４１ａを用いたものを例示したが、照明器具４１の光源としては、フィラメントを内蔵した豆電球や蛍光灯を使用してもよい。
【００２９】
そのほか、照明器具４１を基底部材２に取り付けたものを例示したが、基底部材２を省略し、照明器具４１を身箱１に直接取り付けるようにしてもよい。
【符号の説明】
【００３０】
１  身箱
２  基底部材
３  ダミー部材
４  底壁
４ａ  指入切欠
５，６  側壁
７  外面板
８  頂板
９  内面板
９ａ  係合突起
９ｂ  係合切込
１０，１１  折込片
１２  底当片
１２ａ  突片
１３  係合穴
１４  スタンド片
１４ａ  係合切込
１５  ステー片
１５ａ  係合切込
１５ｂ  指入切欠
２１  基板部
２２，２３  脚片部
２４  係止穴
２５  係合突起
３１  模擬商品部
３２  折曲片部
３３  フック部
４１  照明器具
４１ａ  ＬＥＤ
４２ａ  電源アダプター
４２ｂ  コード
【図１】
0003189400.tif 000003
【図２】
0003189400.tif 000004
【図３】
0003189400.tif 000005
【図４】
0003189400.tif 000006